(57)【特許請求の範囲】
【請求項１】
スライド操作が可能な操作部材と、
メッキ処理が施され、腕部が弾性変形することで前記操作部材を付勢する付勢部が形成される樹脂部材と、
長穴スルーホールが形成され、接地パターンが前記長穴スルーホールの周囲を取り囲むプリント配線板と、を有する電子機器であって、
前記付勢部には、前記長穴スルーホールのエッジと接触する半球形状の接触部が形成され、
前記付勢部が前記操作部材を付勢する際の反力によって、前記接触部が前記長穴スルーホールのエッジに当接するように、前記操作部材には前記付勢部に付勢される付勢傾斜面が形成されることを特徴とする電子機器。
【発明の詳細な説明】
【技術分野】
【０００１】
本発明は、メッキ処理された樹脂部材を有する電子機器に係り、特に、静電対策構造を備えた電子機器に関する。
【背景技術】
【０００２】
デジタルカメラなど電子機器の外観部材、例えば操作部材などは、操作性を考慮し、樹脂で成型されていることが多い。また、デザイン的な特徴を付加するために、メッキにより操作部材の表面処理を行ったものが好まれる。メッキ処理された操作部材は導電部材となるため、メッキ処理された操作部材に印加された静電気は、装置内部に放電し易くなる。
【０００３】
また、静電気が通る経路が印加部やその近傍に形成されていない場合、静電気は、最も近くてインピーダンスの低い箇所に放電しとする。そのため、メッキされた操作部材に印加された静電気が、最終的にインピーダンスの低いプリント配線板に２次放電する可能性がある。したがって、静電気に対する対策を実施していない場合、電気回路の誤動作が生じることがある。最悪の場合には、電気回路が破壊されるおそれがある。
【０００４】
そこで、特許文献１では、樹脂製の操作部材の全表面を導電性材料によりメッキし、その一部を基板の接地パターンに接触させ、静電気をアースに落とす構造が提案されている。
【特許文献１】特開２００３−１０９７９２号公報
【発明の開示】
【発明が解決しようとする課題】
【０００５】
しかしながら、特許文献１に開示されている構成では、樹脂のクリープ性能を考えると、常に接触圧を与え直している構造と言うことはできない。このため、メッキされた樹脂部材とプリント配線板との間の電気的接触が確実なものではなく、インピーダンスを十分低い状態に保持できない恐れがある。
【０００６】
また、別の静電気対策方法として、デジタルカメラの各操作部とプリント配線板との間に絶縁シートを設ける構成がある。この構成によれば、各操作部の静電気がインピーダンスの低いプリント配線板に飛ぶのを防ぐことができる。しかし、絶縁シートを設ける場合、部品点数が増加し、必要となるスペースも増大するという問題がある。
【０００７】
そこで、本発明は、静電気を確実に逃がし、回路の誤動作や破壊を確実に回避することができる電子機器を提供する。
【課題を解決するための手段】
【０００８】
上記課題を解決するため、本発明の一側面としての電子機器は、スライド操作が可能な操作部材と、メッキ処理が施され、腕部が弾性変形することで前記操作部材を付勢する付勢部が形成される樹脂部材と、長穴スルーホールが形成され、接地パターンが前記長穴スルーホールの周囲を取り囲むプリント配線板と、を有する電子機器であって、前記付勢部には、前記長穴スルーホールのエッジと接触する半球形状の接触部が形成され、前記付勢部が前記操作部材を付勢する際の反力によって、前記接触部が前記長穴スルーホールのエッジに当接するように、前記操作部材には前記付勢部に付勢される付勢傾斜面が形成される。
【０００９】
本発明の他の目的及び特徴は、以下の実施例において説明される。
【発明の効果】
【００１０】
本発明によれば、回路の誤動作や破壊を確実に回避することができる電子機器を提供することができる。
【発明を実施するための最良の形態】
【００１１】
以下、本発明の実施例について、図面を参照しながら詳細に説明する。各図において、同一の部材については同一の参照番号を付し、重複する説明は省略する。
【００１２】
まず、本発明を実施した電子機器の一例であるデジタルカメラの基本構成について説明する。
【００１３】
図１は、本実施例におけるデジタルカメラの背面斜視図である。
【００１４】
図１において、１０はデジタルカメラである。デジタルカメラ１０は、後述のとおり、メッキ処理された樹脂部材の静電気対策構造を有する。
【００１５】
６は表示部である。表示部６は、デジタルカメラ１０の背面に設けられており、撮影画像を表示する。表示部６は、デジタルカメラ１０の座標系１１に示されるＸ軸、Ｙ軸の２軸に対し可動するヒンジ７により、回動可能に取り付けられている。このような構成により、デジタルカメラ１０を使用していない時、表示部６の側をカバー９の側に向けておくことで、表示部６を保護することが可能である。
【００１６】
３は操作部である。操作部３は円形であり、表示部６の横に配置されている。操作部３の中央には、独立した別の操作部５（操作ボタン）が配置されている。また、円形の操作部３の周囲には、操作部２、４（操作ボタン）が配置されており、デジタルカメラ１０の操作に必要な機能が割り当てられている。
【００１７】
１は上下にスライド可能に構成された操作レバーである。操作レバー１は、図１中において、操作部２の左上に設けられている。操作レバー１には、デジタルカメラ１０の撮影・再生のモード切替え機能が割り当てられている。
【００１８】
８はファインダー接眼部である。ファインダー接眼部８は表示部６の上に配置されている。ファインダー接眼部８が設けられていることにより、表示部６を閉じていても撮影が可能となっている。
【００１９】
１２は回転ダイアルである。回転ダイアル１２はデジタルカメラ１０の上面に配置されている。回転ダイアル１２には、撮影時の各種モードの設定機能が割り当てられている。
【００２０】
１３はズームレバーである。ズームレバー１３の中央には不図示のレリーズボタンが配置されており、撮影者の希望する画角にて撮影を行うことができる。
（実施例１）
次に、本発明の実施例１におけるデジタルカメラの静電対策構造について説明する。
【００２１】
図２は、実施例１におけるデジタルカメラの内部構造図である。図２には、本実施例における静電対策構造に関連する部分のみ示し、他の部分は省略している。
【００２２】
図２に示されるように、デジタルカメラ１０には、円形の操作部３、及び、操作部２、４、５（操作ボタン）が設けられている。操作部２、４、５は樹脂で一体成形されており、一つの樹脂部材として構成されている。また、操作部２、４、５の樹脂の上にはメッキ処理が施されている。
【００２３】
１４は付勢部である。付勢部１４は操作レバー１を付勢するために設けられている。操作レバー１を付勢する付勢部１４は、付勢する弾性力を与えるため、腕部１５を介して操作部２、４、５と一体化している。付勢部１４は、腕部１５が変形することで弾性変形し、操作レバー１を付勢している。本実施例において、操作レバー１は、付勢部１４により付勢される構造部材である。
【００２４】
また、付勢部１４及び腕部１５は、操作部２、４、５とともにメッキ処理されている。このように、操作部２、４、５、付勢部１４及び腕部１５は、メッキ処理が施された樹脂部材を構成する。
【００２５】
２１は、デジタルカメラ本体に取り付けられるプリント配線板である。プリント配線板２１には、操作部２、３、４、５の数に合わせ、タクトスイッチ２０が複数実装されている。タクトスイッチ２０は、操作部２、３、４、５が押されることにより、パルスを発生する。
【００２６】
プリント配線板２１には、操作レバー１の下部において、スライドスイッチ２９が実装されている。スライドスイッチ２９は、プリント配線板２１の平面に垂直な方向に見て、操作レバー１の下部に位置している。
【００２７】
スライドスイッチ２９には、つまみ部１９が設けられている。スライドスイッチ２９のつまみ部１９と操作レバー１の一部とが係合しており、操作レバー１の上下のスライド動作でスライドスイッチ２９を切替え可能に構成されている。操作レバー１は、例えば、デジタルカメラのモードを切替えるために用いられるモード切替スイッチである。このため、デジタルカメラのモードは、操作レバー１の上下のスライド動作に応じて切り替わる。なお、操作レバー１も樹脂で成型され、メッキ処理が施されている。
【００２８】
プリント配線板２１の上には、接地パターン１７（アースパターン）が形成されている。接地パターン１７の一端は、締結穴１６の周囲を取り囲んでいる。プリント配線板２１は、不図示のビスを締結穴１６に挿入することにより、デジタルカメラ本体に固定される。このとき、接地パターン１７は、ビスを介して、デジタルカメラ本体の金属部と電気的に接続される。一方、接地パターン１７の他端は、長穴スルーホール２７の周囲を取り囲んでいる。後述のとおり、長穴スルーホール２７には、付勢部１４に設けられた接触部１８が接触する。
【００２９】
図３は、実施例１のデジタルカメラにおける樹脂部材の構成図である。図３は、図２の反対側の方向から見た状態を示している。
【００３０】
操作レバー１の内面側（プリント配線板２１の側）には、スライドスイッチ２９のつまみ部１９が係合するつまみ係合溝２５が設けられている。また、操作レバー１の内側面において、つまみ係合溝２５の対面には、クリック溝２４が設けられている。操作レバー１がスライド移動する際、腕部１５が弾性変形し、付勢部１４がクリック溝２４に落ち込むことで、クリック感が与えられる。
【００３１】
付勢部１４には、プリント配線板２１との対面側において、接触部１８が設けられている。接触部１８は、半球状（球Ｒ形状）の凸部で構成されている。接触部１８を球Ｒ形状とすることにより、プリント配線板２１に設けられた接地パターン１７に対し、接触部１８の付勢方向に依存せずに十分な接触圧を確保することができ、確実な電気的接触を可能とする。
【００３２】
図３に示されるように、樹脂部材を構成する付勢部１４、腕部１５、操作部２、４、５は一体形成され、メッキ処理が施されている。また、球Ｒ形状の接触部１８にもメッキ処理が施されている。このように、樹脂部材は、複数の操作部２、４、５を繋ぐ接続部を有することにより一体化されている。このため、メッキされた他の操作部の場所に依存することなく、いずれの操作部に印加された静電気についても、少ない部品点数で確実にアースに逃がすことが可能となる。
【００３３】
一体化された付勢部１４、腕部１５、操作部２、４，５を含む樹脂部材には、位置決め穴２３が設けられている。樹脂部材は、この位置決め穴２３に、カバー９に設けられた不図示の位置決めピンが差し込まれることにより、カバー９に接着固定される。
【００３４】
操作部４には、押部２２が設けられている。押部２２は、操作部４が押されることにより、タクトスイッチ２０を押すように構成されている。操作部２、４は、一般的に、使用者が最も触れ易い設定項目を呼び出す操作ボタン、又は、表示部６の切り替えを行う操作ボタンである。
【００３５】
図４は、実施例１のデジタルカメラにおける要部断面図である。図４には、プリント配線板２１、樹脂部材の付勢部１４、及び、操作レバー１の構造が示されている。
【００３６】
操作レバー１には、操作力の程度を適切な大きさにするように付勢される付勢傾斜面２８が形成されている。付勢部１４は、付勢傾斜面２８に鉛直な作用方向２６に反力を受けている。付勢部１４に設けられた接触部１８は、この反力により、プリント配線板２１に形成された接地パターン１７に確実に接触することができる。
【００３７】
本実施例のプリント配線板２１には、付勢部１４に設けられた接触部１８に対応する位置に、長穴スルーホール２７が形成されている。長穴スルーホール２７の周囲は、接地パターン１７で取り囲まれている。球Ｒ形状の接触部１８と長穴スルーホール２７のエッジとが接触することにより、接触圧を高めることができる。
【００３８】
以上のとおり、本実施例の構成によれば、操作レバー１又は各操作部に印加された静電気は、樹脂部材の接触部１８を介してプリント配線板２１上の接地パターン１７に流れる。よって、デジタルカメラにおける回路の誤動作や破壊を確実に回避することができる。
（実施例２）
次に、本発明の実施例２における電子機器の静電対策構造として、デジタルカメラの静電対策構造について説明する。
【００３９】
図５は、実施例２におけるデジタルカメラの内部構造図である。図５には、本実施例における静電対策構造に関連する部分のみ示し、他の部分は省略している。
【００４０】
本実施例において、付勢部１４ａにより付勢される構造部材は、表示部６である。表示部６は、ヒンジ７により開閉及び回転可能に構成されている。表示部６は、閉状態において、腕部１５ａの弾性力に伴い付勢部１４ａにより付勢されている。表示部６は、一般的にはＬＣＤユニットである。また、付勢部１４ａは、表示部６を付勢するフックである。
【００４１】
樹脂部材を構成する付勢部１４ａ、腕部１５ａ、及び、操作部４は、一体で成型されている。また、この樹脂部材はメッキ処理が施されている。プリント配線板２１ａには、ビスを用いてデジタルカメラ本体に締結するための締結穴１６ａがある。締結穴１６ａの周囲には、接地パターン１７ａの一端が締結穴１６ａを取り囲むように配置されている。
【００４２】
図６は、図５中のＶＩ―ＶＩで切断した断面図である。
【００４３】
表示部６の側面には傾斜面３８ａが設けられている。表示部６の傾斜面３８ａは、付勢部１４ａに設けられた付勢傾斜面２８ａにより付勢されるように、付勢傾斜面２８ａと同一又は類似の傾斜角を有する。
【００４４】
付勢部１４ａには、表示部６を付勢する力の反力として、付勢傾斜面２８ａに鉛直な作用方向３２に力が作用している。この反力は、腕部１５を介して一体で成型されている静電気対策接触部３１にも、作用方向３２に平行な等価作用方向３３に、同じように作用している。静電気対策接触部３１には、球Ｒ形状の接触部１８ａが設けられている。球Ｒ形状の接触部１８は、プリント配線板２１ａに当接し、プリント配線板２１ａの上に形成されている接地パターン１７ａに接触している。
【００４５】
付勢部１４ａは、付勢している表示部６の開閉動作により変位を繰り返す。このため、クリープによる接触圧の低下を受け難く、電気的な接触が確実となる。したがって、静電気が放電する経路をプリント配線板２１上の接地パターン１７とすることが可能となる。
【００４６】
付勢部１４ａ及び操作部４は、メッキ処理され、デジタルカメラの外側に露出されている。このため、付勢部１４ａ及び操作部４には、静電気が印加されやすい。しかし本実施例によれば、この静電気は、接触部１８ａを介して、プリント配線板２１ａの上の接地パターン１７ａに確実に放電させることができる。よって、最も近いインピーダンスの低い箇所となる表示部６、つまり、液晶パネルに静電気が印加されることに基づく誤作動や回路破壊からデジタルカメラを保護することがでる。
【００４７】
上記実施例によれば、弾性部を構成する腕部１５、１５ａの変形による付勢力により接触圧は高められ、付勢部１４、１４ａは、付勢している構造部材（操作レバー１、表示部６）に対して変位を繰り返す。このため、クリープによる接触圧が低下するのを防ぐことができ、接触部１８、１８ａと接地パターン１７、１７ａとの電気的な接触が確実となる。したがって、静電気が放電する経路をプリント配線板２１、２１ａの接地パターン１７、１７ａとして、印加された静電気を確実に放電させることが可能になる。
【００４８】
以上、本発明の内容を具体的実施例に基づいて説明した。ただし、本発明は上記実施例に限定されるものではなく、本発明の趣旨を逸脱しない範囲内で適宜変更が可能である。
【図面の簡単な説明】
【００４９】
【図１】本実施例におけるデジタルカメラの背面斜視図である。
【図２】実施例１におけるデジタルカメラの内部構造図である。
【図３】実施例１のデジタルカメラにおける樹脂部材の構成図である。
【図４】実施例１のデジタルカメラにおける要部断面図である。
【図５】実施例２におけるデジタルカメラの内部構造図である。
【図６】図５中のＶＩ−ＶＩで切断した断面図である。
【符号の説明】
【００５０】
１  操作レバー
２、３、４、５  操作部
６  表示部
７  ヒンジ
８  ファインダー接眼部
９  カバー
１０  デジタルカメラ
１１  デジタルカメラの座標系
１２  回転ダイアル
１３  ズームレバー
１４、１４ａ  付勢部
１５、１５ａ  腕部
１６、１６ａ  締結穴
１７、１７ａ  接地パターン
１８、１８ａ  接触部
１９  つまみ部
２０  タクトスイッチ
２１、２１ａ  プリント配線板
２２  押部
２３  位置決め穴
２４  クリック溝
２５  つまみ係合溝
２６、３２、３３  作用方向
２７  長穴スルーホール
２８、２８ａ  付勢傾斜面
２９  スライドスイッチ
３１  静電気対策接触部
【図１】
0005252983.tif 000002
【図２】
0005252983.tif 000003
【図３】
0005252983.tif 000004
【図４】
0005252983.tif 000005
【図５】
0005252983.tif 000006
【図６】
0005252983.tif 000007